(57)【要約】【課題】イコライザ設定等のパラメータを容易に広く提供できるようにする。【解決手段】情報処理装置は、対象とする装置の動作状態を設定するパラメータ情報を入力するパラメータ入力部と、パラメータ情報を画像化した変換画像データを生成する画像変換部と、変換画像データが、該変換画像データより大きい画像サイズの画像データ内に配置される設定ファイル画像データを生成する設定ファイル画像生成部とを備える。設定ファイル画像データをＳＮＳ等に画像として提示する。閲覧者がその画像データを受信することで、各種機器にパラメータ設定を行うことができるようにする。【選択図】図５
2014192553.tif 000002
【特許請求の範囲】
【請求項１】
対象とする装置の動作状態を設定するパラメータ情報を入力するパラメータ入力部と、
前記パラメータ情報を画像化した変換画像データを生成する画像変換部と、
前記変換画像データが、該変換画像データより大きい画像サイズの画像データ内に配置される設定ファイル画像データを生成する設定ファイル画像生成部と、
を備えた情報処理装置。
【請求項２】
前記設定ファイル画像データは、さらに、前記変換画像データを含む画像であることを識別する識別情報を画像化した識別画像データを含む
請求項１に記載の情報処理装置。
【請求項３】
前記画像変換部は、前記パラメータ情報を、色情報又は透明度情報に変換して前記変換画像データを生成する
請求項１に記載の情報処理装置。
【請求項４】
前記画像変換部は、前記パラメータ情報に含まれる数値自体を、色情報又は透明度情報に変換して前記変換画像データを生成する
請求項３に記載の情報処理装置。
【請求項５】
前記画像変換部は、前記パラメータ情報に含まれる数値を、変換パターンに従って色情報又は透明度情報に変換して前記変換画像データを生成する
請求項３に記載の情報処理装置。
【請求項６】
前記画像変換部は、選択又は入力された前記変換パターンを用いる
請求項５に記載の情報処理装置。
【請求項７】
前記設定ファイル画像データは、前記変換画像データに対応した画像データを含む
請求項１に記載の情報処理装置。
【請求項８】
前記設定ファイル画像データは、前記変換画像データを含む画像であることを提示する画像を含む
請求項１に記載の情報処理装置。
【請求項９】
前記設定ファイル画像データは、前記パラメータ情報作成者を提示する画像を含む
請求項１に記載の情報処理装置。
【請求項１０】
前記設定ファイル画像データは、前記対象とする装置を提示する画像を含む
請求項１に記載の情報処理装置。
【請求項１１】
前記パラメータ情報は、イコライザ特性のパラメータである
請求項１に記載の情報処理装置。
【請求項１２】
対象とする装置の動作状態を設定するパラメータ情報を入力し、
前記パラメータ情報を画像化した変換画像データを生成し、
前記変換画像データが、該変換画像データより大きい画像サイズの画像データ内に配置される設定ファイル画像データを生成する
情報処理方法。
【請求項１３】
対象とする装置の動作状態を設定するパラメータ情報を入力する処理と、
前記パラメータ情報を画像化した変換画像データを生成する処理と、
前記変換画像データが、該変換画像データより大きい画像サイズの画像データ内に配置される設定ファイル画像データを生成する処理と、
を情報処理装置に実行させるプログラム。
【請求項１４】
対象とする装置の動作状態を設定するパラメータ情報を画像化した変換画像データが、該変換画像データより大きい画像サイズの画像データ内に配置されている設定ファイル画像データを受信する設定ファイル画像取得部と、
前記設定ファイル画像データから前記変換画像データを抽出する変換画像抽出部と、
前記変換画像データからパラメータ情報を生成するパラメータデコード部と、
を備えた情報処理装置。
【請求項１５】
対象とする装置の動作状態を設定するパラメータ情報を画像化した変換画像データが、該変換画像データより大きい画像サイズの画像データ内に配置されている設定ファイル画像データを受信し、
前記設定ファイル画像データから前記変換画像データを抽出し、
前記変換画像データからパラメータ情報を生成する、
情報処理方法。
【請求項１６】
対象とする装置の動作状態を設定するパラメータ情報を画像化した変換画像データが、該変換画像データより大きい画像サイズの画像データ内に配置されている設定ファイル画像データを受信する処理と、
前記設定ファイル画像データから前記変換画像データを抽出する処理と、
前記変換画像データからパラメータ情報を生成する処理と、
を情報処理装置に実行させるプログラム。
【発明の詳細な説明】
【技術分野】
【０００１】
本技術は、電子機器等の各種パラメータを画像化し、また画像化したファイルを扱う情報処理装置、情報処理方法、及びコンピュータプログラムに関する。
【先行技術文献】
【特許文献】
【０００２】
【特許文献１】特開２０００−２３５７７２号公報
【背景技術】
【０００３】
近年、オーディオ機器、ビデオ機器、ネットワーク機器その他のエンターテインメント用の電子機器が多く販売されている。これらの機器はある特定の機能について各種のパラメータを設定して使用する。通常、各種のパラメータはデフォルトで設定されているので、特別にユーザが設定しなくてもその機器を使用する上では何ら支障はない。
一方で、これらのパラメータを自由に設定し機器を使用することができると、ユーザはより機器の使用の楽しみを広げたり、好みや嗜好にあった使用が可能となる。
【０００４】
例えば、オーディオ機器等においてはパラメータの設定としてイコライザの周波数特性を設定することができる。音楽のジャンル（カテゴリ）に合わせてイコライザを自動で設定できるものもある（特許文献１参照）。この場合、ジャズ、クラシック、ポップス等のジャンル毎に周波数特性が自動で調整され、ユーザはその調整された特性で音楽を聴くことができ、それを楽しむことができる。
【０００５】
また、イコライザのパラメータは、各個人が自らの判断により、独自の音作りを目指して設定するという使用方法もある。ジャンル等にとらわれずイコライザを操作設定して音作りをすることで、自分の好み等に合わせて音楽を楽しむことができる。
【発明の概要】
【発明が解決しようとする課題】
【０００６】
ところで、設定したイコライザの内容を自分だけで楽しむというだけでなく、各個人同士で共有してそれを各個人が利用して楽しむという方法も考えられる。
著名な音楽家、アーチスト、クリエータ等のお勧めのイコライザ設定の例が共有できれば、ユーザの楽しみを広げることができる。また、音楽の好みを同じとする仲間同士でイコライザ設定の内容が共有できれば、情報交換の場となり、活発な交流の発展が期待される。
本技術は、例えばユーザが設定したイコライザの周波数特性等のパラメータを、容易に、かつ広範囲に提供でき、またそのようなパラメータを容易に利用できるようにすることを目的とする。
【課題を解決するための手段】
【０００７】
第１に、本技術の情報処理装置は、対象とする装置の動作状態を設定するパラメータ情報を入力するパラメータ入力部と、前記パラメータ情報を画像化した変換画像データを生成する画像変換部と、前記変換画像データが、該変換画像データより大きい画像サイズの画像データ内に配置される設定ファイル画像データを生成する設定ファイル画像生成部とを備える。
パラメータ情報を画像化して設定ファイル画像データとすることで、パラメータ情報を広く頒布できる状態とすることができる。
【０００８】
第２に、上記した本技術に係る情報処理装置は、前記設定ファイル画像データは、さらに、前記変換画像データを含む画像であることを識別する識別情報を画像化した識別画像データを含むことが望ましい。
これにより、設定ファイル画像データをしようするアプリケーション等が、当該画像データが設定ファイル画像データであることを認識できる。
【０００９】
第３に、上記した本技術に係る情報処理装置は、前記画像変換部は、前記パラメータ情報を、色情報又は透明度情報に変換して前記変換画像データを生成することが望ましい。
第４に、前記画像変換部は、前記パラメータ情報に含まれる数値自体を、色情報又は透明度情報に変換して前記変換画像データを生成することが望ましい。
第５に、前記画像変換部は、前記パラメータ情報に含まれる数値を、変換パターンに従って色情報又は透明度情報に変換して前記変換画像データを生成することが望ましい。
第６に、前記画像変換部は、選択又は入力された前記変換パターンを用いることが望ましい。
これらにより、設定ファイル画像データによる画像自体の視認性を高めたり、画像を視認したユーザに対してパラメータ内容を表現することが可能となる。
【００１０】
第７に、上記した本技術に係る情報処理装置は、前記設定ファイル画像データは、前記変換画像データに対応した画像データを含む。
第８に、前記設定ファイル画像データは、前記変換画像データを含む画像であることを提示する画像を含む。
第９に、前記設定ファイル画像データは、前記パラメータ情報作成者を提示する画像を含む。
第１０に、前記設定ファイル画像データは、前記対象とする装置を提示する画像を含む。
これらにより、設定ファイル画像データにおいて、視認性や、画像を見たユーザの内容把握を容易化できる。
【００１１】
第１１に、上記した本技術に係る情報処理装置は、前記パラメータ情報はイコライザ特性のパラメータであることが望ましい。
これによりオーディオ機器、ヘッドホン装置等のパラメータの共有が可能となる。
【００１２】
本技術の情報処理方法は、対象とする装置の動作状態を設定するパラメータ情報を入力し、前記パラメータ情報を画像化した変換画像データを生成し、前記変換画像データが、該変換画像データより大きい画像サイズの画像データ内に配置される設定ファイル画像データを生成するものである。
本技術のプログラムは、このような情報処理方法を情報処理装置に実行させるプログラムである。
これらにより、パラメータ情報を画像化して設定ファイル画像データとする情報処理装置ことの実現に適している。
【００１３】
また本技術の情報処理装置、即ち設定ファイル画像データを利用する情報処理装置は、対象とする装置の動作状態を設定するパラメータ情報を画像化した変換画像データが、該変換画像データより大きい画像サイズの画像データ内に配置されている設定ファイル画像データを受信する設定ファイル画像取得部と、前記設定ファイル画像データから前記変換画像データを抽出する変換画像抽出部と、前記変換画像データからパラメータ情報を生成するパラメータデコード部とを備える。
本技術の情報処理方法は、対象とする装置の動作状態を設定するパラメータ情報を画像化した変換画像データが、該変換画像データより大きい画像サイズの画像データ内に配置されている設定ファイル画像データを受信し、前記設定ファイル画像データから前記変換画像データを抽出し、前記変換画像データからパラメータ情報を生成する。
本技術のプログラムは、このような情報処理方法を情報処理装置に実行させるプログラムである。
このような本技術により、視覚化された設定ファイル画像データを受信し、それを対象機器のパラメータ情報に変換して利用できる。
【発明の効果】
【００１４】
本技術によれば、パラメータ情報が設定ファイル画像データとして取り扱われることになり、写真やイラストと同様にネットワーク上に簡単に配布でき、多数のユーザ間で容易にパラメータ情報を共有することが可能になる。
【図面の簡単な説明】
【００１５】
【図１】対象装置にイコライザの設定をする場合の概念図である。
【図２】ユーザ間での設定情報の共有の例を表す概念図である。
【図３】専用サーバ等による設定情報の共有の例を表す概念図である。
【図４】設定情報の共有のためのＳＮＳ上でのシステム動作を表す概念図である。
【図５】実施の形態の情報処理装置のブロック図である。
【図６】実施の形態のイコライザ設定のための具体的な設定波形および数値を示す図である。
【図７】実施の形態の設定ファイル画像データ生成例Ｉの説明図である。
【図８】実施の形態の設定ファイル画像データ生成例IIの説明図である。
【図９】実施の形態の設定ファイル画像データ生成例IIの説明図である。
【図１０】実施の形態の画像生成動作のフローチャートである。
【図１１】実施の形態の画像生成動作のフローチャートである。
【図１２】実施の形態の読み取り動作のフローチャートである。
【発明を実施するための形態】
【００１６】
以下、本技術の内容を次の順序で説明する。
＜１．パラメータ共有手法＞
＜２．情報処理装置の構成＞
＜３．設定ファイル画像データ生成例Ｉ＞
＜４．設定ファイル画像データ生成例II＞
＜５．対象機器との初期通信＞
＜６．設定ファイル画像データ生成処理＞
＜７．設定ファイル画像データの利用時の処理＞ 
＜８．プログラム及び変形例＞
【００１７】
＜１．パラメータの共有手法＞
以下、各種電子機器の特定の機能を設定するパラメータを多数のユーザが共有するための手法について、オーディオ機器（アクティブヘッドホン）のイコライザ設定を例にして、図１乃至図４により説明する。イコライザ設定の場合、所定の周波数毎のゲイン（ｄＢ）がパラメータに相当する。
まず、個人でイコライザの設定内容を変更する場合を考える。
図１は、アクティブヘッドホン３（以下ヘッドホン）のイコライザの設定内容を変更する動作を模式的に表したものである。図１に示すようにユーザＡはイコライザ特性編集装置１（ＰＣ端末或いはスマートホン端末）によりヘッドホン３のイコライザの設定内容を編集する。この編集はイコライザ特性編集装置１上で動作するイコライザ特性編集ソフト（図示せず）により行われる。編集されたイコライザの設定内容は設定ファイル２としてイコライザ特性編集装置１に保存される。
ここでの編集は、メーカの推奨特性に変更を加えてユーザ作成特性としてもいいし、最初から新たにユーザが作成してもよい。
【００１８】
保存された設定ファイル２は、例えばBluetooth（無線規格であり登録商標）、ＵＳＢ（Universal Serial Bus）およびその他の伝送規格経由でヘッドホン３に送ることができる。
ヘッドホン３側では、その受信したイコライザの設定内容を新たな設定内容として設定変更することができる。これによりヘッドホン３はその設定されたイコライザの設定で音声を再生する。
以上の動作により、ユーザＡはユーザ作成の特性が設定されたヘッドホン３により音楽を聴くことができ、それを楽しむことができる。この場合、イコライザの設定内容は個人で所有することになる。
【００１９】
一方、同じヘッドホンを持つユーザ同士がこの設定ファイル２を共有できれば、他のユーザが作成した特性を利用して、音楽等を聴くことができ、他のユーザの設定特性を楽しむことができる。すなわち、ユーザ同士で同じ体験をすることができる（ここでは個人の聴覚差は考えないものとする）。特にその設定をした者が著名なアーチスト等であれば、彼らが設定したその特性は特別な意味を持つものになり、それを設定したヘッドホン３で音楽を聴くことは大きな楽しみになると考えられる。
また、共有できれば他人の作成した設定ファイル２を使用できるのであるから、設定ファイル２を作成する手間を省くことができるという使い方も可能である。
【００２０】
図２は、ユーザ間で設定ファイル２を共有する場合の共有方法の一例を示すものである。図２に示すように共有方法として、各個人間では設定ファイル２を電子メールに添付することが考えられる。例えば、ユーザＡからユーザＢおよびユーザＣに電子メールで設定ファイル２を送付する。或いはユーザＢはユーザＡから受け取った設定ファイル２をユーザＣに電子メールで送付してもよい。これによりユーザＡ、Ｂ、Ｃの三人で設定ファイル２を共有できる。しかし、この場合、通常は共有できる範囲は自分の友人／知人に限られる。
【００２１】
ユーザが所有・契約しているｆｔｐサーバーやｈｔｔｐサーバーにファイルをアップロードし、ＵＲＬ（unifom resource locator）をＳＮＳ（social networking service）に公開すれば共有範囲を広げることはできる。図３はその概念図を示すものである。
動作の大まかな流れは次の通りである。図３に示すように、（i）あるユーザが契約しているサーバ４（ftp://xxx.ne.jp/yyy/zzz/或いは専用サーバ）に設定ファイル２をアップロードする。（ii）設定ファイル２をアップロードしたユーザは、アップロードしたＵＲＬをＳＮＳの掲示板に書き込む。（iii）他のユーザがそのＵＲＬを見る。（iv）他のユーザはその見たＵＲＬから設定ファイル２をダウンロードする。（v）ダウンロードした設定ファイル２をヘッドホン３に設定する。
【００２２】
以上の動作により、他のユーザはその設定ファイル２の表すイコライザ設定で音楽を聴くことができ、別のユーザの設定特性を楽しむことができる。すなわち、ユーザ同士で同じ体験をすることができる。この場合、ＵＲＬへのアクセス制限さえなければ誰でも設定ファイル２を利用できる。共有の範囲は図２の場合と比べて非常に広くすることができる。例えば不特定多数の者と設定ファイル２を迅速かつ柔軟に共有できる。
しかし、この場合特別なサーバーを開設・運営することが必要であり、サーバを開設・運営をする者は相当な手間がかかることになる。また、コスト的にも負担を強いられることもある。
【００２３】
本実施の形態では、以上のような共有手法よりも、より簡易で広くユーザに共有でき、さらに使い勝手のよい手法を提案する。
パラメータ情報を画像化して設定ファイル画像データ６として、その画像化された設定ファイル画像データ６をＳＮＳ上の掲示板５に表示することにより簡単、簡便にパラメータの設定ファイルを共有できる。図４によりこのシステム動作を簡単に説明する。
図４は、ユーザＡが作成したパラメータ設定を設定ファイル画像データ６ｘとし、これをＳＮＳ上の掲示板５に掲示する。そしてユーザＢがＳＮＳ上に掲示されたその設定ファイル画像データ６ｘをダウンロードして使用する動作の概要を表すものである。
【００２４】
図４に示すように、ＰＣ（パーソナルコンピュータ）／スマートホン等の情報処理装置１はＳＮＳアプリケーション１１、設定編集アプリケーション１２で構成される。
ＳＮＳアプリケーション１１は、ＳＮＳにアクセスを可能とするソフトウェアである。これによりＳＮＳ上の掲示板５に所定の情報を掲示できる。
設定編集アプリケーション１２は設定ファイル画像データ６を作成するソフトウェアである。ここでは、設定ファイル画像データ６ｘ或いは設定ファイル画像データ６ｙの２種類の設定ファイル画像データ６が作成されている。ユーザＡは設定編集アプリケーション１２を用いて設定ファイル画像データ６を任意に何種類でも作成可能である。そして、例えば作成された設定ファイル画像データ６ｘはＳＮＳアプリケーション１１により、ＳＮＳ上の掲示板５に掲示できる。
【００２５】
ユーザＢはこの掲示板５を見て、設定ファイル画像データ６ｘを、ユーザＢが使用する情報端末（情報処理装置１）にダウンロードする。そして、その設定ファイル画像データ６ｘに含まれるイコライザの周波数特性設定内容（以下「ＥＱパラメータ」とも表記する）をヘッドホン３のイコライザに設定して、その設定した状態で音楽を聴くことができる。
また設定ファイル画像データ６ｘは、画像化されているが、その画像自体によって、作成者やＥＱパラメータ内容を、例えばユーザＢ等が認識することも可能である。作成者や内容認識のための画像生成の手法は後述する。そして例えばユーザＢは、掲示板５でこの設定ファイル画像データ６ｘを見ると、設定ファイル画像データ６ｘがユーザＡが作成したものであること、さらにイコライザの設定内容がいかなるものであるかを認識することができる。このため、ユーザＡが著名な音楽家であったり、或いはイコライザの設定内容が興味を引く設定であったりすると、他のユーザはその設定ファイル画像データ６ｘを入手したいと興味を持つことが考えられる。また、ユーザＢ等にとって、この設定ファイル画像データ６ｘがあらわす設定内容で音楽を聴くことは、その楽しみをさらに広げることになる。
【００２６】
ユーザＡは作成した設定ファイル画像データ６ｘ、６ｙをＳＮＳ上の掲示板５に掲示するだけでなく、自分が使用しているヘッドホン３に対しても使用できる。
なお、この場合、自分が作成したＥＱパラメータを、必ずしも画像化した設定ファイル画像データ６としなくてもよい。つまりＥＱパラメータ自体を自分のヘッドホン３に転送してもよいが、ここでは設定ファイル画像データ６を用いる例で述べる。
図４に示すように、ヘッダホン３は例えば、設定ＲＡＭ２１、ＡＤコンバータ２２、ＤＳＰ（Digital Signal Processor）２３、ＤＡコンバータ２４、出力アンプ２５、スピーカ部２６を有する。なお、図では２チャンネルステレオ構成を簡略化して示している。
外部のＤＭＰ（Digital Media Player）２７から入力された音声信号がＡＤコンバータ２２によりデジタル信号に変換され、そのデジタル信号はＤＳＰ２３により信号処理される。この場合、設定ＲＡＭ２１に設定ファイル画像データ６ｘからデコードしたＥＱパラメータの内容が書き込まれていることで、ＤＳＰ２３は、そのＥＱパラメータを用いたイコライジング処理を行う。そして、信号処理された信号は、ＤＡコンバータ２４によりアナログ信号に変換され、出力アンプ２５からスピーカ部２６に導かれる。結果として、設定ファイル画像データ６から抽出されたＥＱパラメータを用いたイコライザ処理による再生音声を、スピーカ部２６から聴取することができる。
ここではユーザＡのスピーカ３として説明したが、この動作はユーザＢのスピーカ３においても同様である。
【００２７】
以上がシステム動作の概要である。図４では、ユーザＡが設定ファイル画像データ６ｘ、６ｙを作成し、設定ファイル画像データ６ｘをＳＮＳ上の掲示板５に掲示し、これをユーザＢがダウンロードし、その設定ファイル画像データ６ｘを利用して、これをヘッドホン３に設定し音楽を聴こうとする形態である。逆にユーザＢが設定ファイル画像データ６を作成し、これをＳＮＳ上の掲示板５にアップロードし、これをユーザＡがダウンロードして利用するということも当然可能である。
また、２人だけのやりとりに限られず、誰でも作成した設定ファイル画像データ６をアップロードでき、また誰でもアップロードされている設定ファイル画像データ６をダウンロードしてヘッドホン３に設定できる。共有の範囲は、図３の場合と同様にその範囲は広い。
【００２８】
＜２．情報処理装置の構成＞
実施の形態の情報処理装置１の構成を図５により説明する。
情報処理装置１は、例えば実際にはＣＰＵ（Central Processing Unit）、ＲＯＭ（Read Only Memory）、ＲＡＭ（random access memory）、各種インターフェース等を備えたマイクロコンピュータ及び周辺回路により構成され、具体的には図４で示したようにパーソナルコンピュータ、タブレット機器、スマートフォン等として実現できる。図５では、実施の形態の動作を実現するための機能的な構成として示している。
なお、図５Ａは、設定ファイル画像データ６を生成したりアップロードするための機能構成を、図５Ｂは、設定ファイル画像データ６をダウンロードし利用するための機能構成を示している。ここでは便宜上、２つの図で示しているが、実際には情報処理装置１として、両方の構成（信号処理部５０内の処理機能）をソフトウエア又はハードウエアで備えることで、１つの情報処理装置１として実現できる。なおもちろん、設定ファイル画像データ６の生成・アップロード専用の装置や、ダウンロード・利用専用の装置を実現することも可能である。
【００２９】
図５Ａ、図５Ｂで示すように、情報処理装置１は制御部３５、記憶部３８、操作部３４、表示部３６、通信部３７、信号処理部５０を備える。
制御部３５は、マイクロコンピュータにより構成され、各部を制御する。
記憶部３８は、ＲＡＭ又は不揮発性メモリ、或いは可搬性記憶媒体のドライブなどとして各種データの保存に用いられる。
操作部３４は、キーボード、マウス、タッチパネルその他の各種操作デバイスを表している。
表示部３６は液晶表示装置、有機ＥＬ（Electro Luminescence）表示装置などとされ、ユーザに各種情報を提示する。
通信部３７は、インターネットなどの公衆ネットワークの通信部、さらにはBluetooth通信部、ＵＳＢ通信部、ケーブル通信部、赤外線通信部、公衆回線の有線／無線通信部、ＬＡＮインターフェース部など、各種通信デバイスを包括して示している。情報処理装置１は通信部３７を介して、ＳＮＳアクセスを行ったり、或いはヘッドホン等の周辺機器と通信を行うことができるものとする。
信号処理部５０は、例えばＤＳＰ、マイクロコンピュータなどに構成され、各種演算処理を行う。
【００３０】
まず図５Ａに示すように、設定ファイル画像データ６の生成・アップロードのための機能として、信号処理部５０内には、パラメータ入力部３１、画像変換部３２、設定ファイル画像生成部３３が設けられる。
パラメータ入力部３１は対象とする装置の特定機能を定義するパラメータを取り込む。ここではヘッドホン３のＥＱパラメータを取り込む例とする。
なおＥＱパラメータは、操作部３４によるユーザ操作に応じて作成されて、これがパラメータ入力部３１への入力とされてもよいし、外部のヘッドホン３から予め設定されているパラメータが通信部３７を介して入力されてもよい。
【００３１】
パラメータ入力部３１に入力されたＥＱパラメータは表示部３６に表示される。操作者は表示部３６を見ながら、操作部３４の操作によりＥＱパラメータを編集できる。例えば表示部３６の表示パネル上のタッチ操作によりパラメータ編集（或いは作成）が可能である。
画像変換部３２は、入力され、又は編集等されたＥＱパラメータを所定の形式で画像化した変換画像データを生成する。
設定ファイル画像生成部３３は、変換画像データが、その変換画像データより大きい画像サイズの画像データ内に配置される設定ファイル画像データ６を生成する。
これらの処理の具体例は後述する。
【００３２】
生成された設定ファイル画像データ６は記憶部３８に記憶される。
記憶部３８に記憶された設定ファイル画像データ６は通信部３７を介してＳＮＳ上へ送信、すなわちアップロードされる。これにより設定ファイル画像データ６は掲示板５に掲示される。
【００３３】
図５Ｂに示すように、設定ファイル画像データ６のダウンロード・利用のための機能として、信号処理部５０内には、設定ファイル画像取得部４１、変換画像抽出部４２、パラメータデコード部４３が設けられる。
例えばＳＮＳの掲示板５で、或る設定ファイル画像データ６の画像を見たユーザが、これをダウンロードする操作を行うと、通信部３７を介したネットワーク通信により、設定ファイル画像データ６がダウンロード受信されて記憶部３８に取り込まれる。
信号処理部５０の設定ファイル画像取得部４１は、この受信された設定ファイル画像データ６を記憶部３８から読み出して取得する。
【００３４】
変換画像抽出部４２は、設定ファイル画像データ６から変換画像データを抽出する。上記のように設定ファイル画像データ６は、ＥＱパラメータ情報を画像化した変換画像データが、その変換画像データより大きい画像サイズの画像データ内に配置されているデータである。このため変換画像抽出部４２は、設定ファイル画像データ６からＥＱパラメータを画像化した変換画像データの部分を抽出する。
パラメータデコード部４３は、抽出された変換画像データからＥＱパラメータを生成する。この場合、図５Ａの画像変換部３２での画像化のエンコードに対応したデコード処理を行って元のＥＱパラメータを得る処理となる。
このように得られたＥＱパラメータは記憶部３８に記憶される。
記憶部３８に記憶されたＥＱパラメータは、ユーザの操作等に応じて、通信部３７からヘッドホン３に送信され、ヘッドホン３のイコライザ設定として用いられる。
【００３５】
＜３．設定ファイル画像データ生成例Ｉ＞
以下に実施の形態に係る、画像化における設定ファイル画像データ６の例について図６、図７により説明する。画像化はあらゆる種類のパラメータについて画像化が可能である。ここでは、ヘッドホン３のイコライザ設定についてのパラメータの画像化を例に説明する。
図６はイコライザ設定のための具体的な設定波形（周波数特性）およびその具体的数値を示すものである。図６Ａはイコライザ設定のための設定内容を波形で示すものである。横軸を周波数（Ｈｚ）、縦軸をゲイン（ｄＢ）で表している。この波形は、情報処理装置１内でユーザ自ら最初から作成および編集することができるし、又はヘッドホン３からイコライザ設定内容を情報処理装置１に取り込み、その設定内容から作成および編集することができる。
情報処理装置１のユーザはＥＱパラメータとしての波形（周波数特性）をタッチパネル操作等で描画することができる。
図６Ａの細線で示されている周波数特性はタッチパネル操作（指先の動き）で波形が変わっていく状態を表している。このユーザの指先の動きの軌跡が、ユーザの求める音声信号処理の周波数特性に対応し、ヘッドホン３のリソース（バンド数や上限など）に応じて、ユーザが求めるものに最も近い設定が実現される。図中の太線で示されている波形が最終的に決定された周波数特性値とする。
【００３６】
図６Ｂは、図６Ａの波形の各周波数毎の具体的数値を表すものである。ｘは画面上で左端を０としたときの横軸の座標である。ｙは画面上で上端を０としたときの下方向に向かっての縦軸の座標である。ＨｚとｄＢはｘとｙの座標を周波数（Ｈｚ）とゲイン（ｄＢ）に変換して表した数値である。ただし、この数値は例示であり、図６Ａの波形に対応する数値ではない。
【００３７】
図６Ｂが、太線で設定された周波数特性の値とする。ｘ値、ｙ値は、表示部３６の周波数特性描画領域のｘ座標値、ｙ座標値としている。情報処理装置１は、例えばｘ座標上の固定のポイント（例えば１２８ポイント）の各ｘ座標値（０、５、１０・・・）について、ｙ座標値をゲイン値（ｄＢ）として取得する。各ｘ座標値のｙ座標値とは、図６Ｂの太線の座標値であり、この値をゲイン値（ｄＢ）とする。なおｘ座標上の各ポイントは、周波数値（Ｈｚ）に対応する。例えば２０Ｈｚ〜２２．０５ＫＨｚの範囲での各周波数値が、ｘ座標上の各ポイントに対応している。
【００３８】
ここで従来の画像化について言及しておく。
パラメータ情報がデジタル機器用途のものとした場合、例えばＸＭＬのように標準化されたファイルとすることができる。また機器特有の形式とすることもできる。しかしシステムによってはアップロードできるファイルの種類に制限があり不都合である。
ＱＲコード（登録商標）を使用する方法も考えられる。ＱＲコードは情報を画像化することで、カメラで取り込むことができるようになっている。ユーザはＱＲコードを見れば一目でその取り込み方法を理解でき、使い易く便利である。しかし、情報量が少ない。  
パラメータをＴＡＧ領域に埋め込むという手法が考えられるが、この領域をユーザは通常の手段（画像を見るという行為）だけでは埋め込まれた情報をまったく知ることができない。なんらかのシンボル等で設定ファイルであることを知らせることはできるかもしれないが、その違いはわからない。また、ＴＡＧ領域が存在しない画像フォーマットではそもそもこの手法が実現しない。
図６の周波数特性を編集するとした場合、その特性を画像としてそのまま保存するという方法も考えられる。しかし、サイズが大きく、縮小したときに見えづらくなり、ユーザはその周波数特性の特徴を一目で認識し難い。
また、ＷａｔｅｒＭａｒｋを入れる方法も考えられるがこれもユーザには一目で設定されたパラメータの違いが認識できない。
【００３９】
そこで本実施の形態では以下の画像化を行う。
画像ファイルのフォーマットは代表的なものを挙げると、ＢＭＰ（Microsoft Windows Bitmap Image）、ＪＰＥＧ（Joint Photographic Experts Group）、ＧＩＦ（Graphics Interchange Format）、ＰＮＧ（Portable Network Graphics）がある。ここではＰＮＧを例として説明する。保存したファイルから元の色情報が完全に正しく復元できる形式であれば、保存圧縮形式はＰＮＧ以外の形式でも構わない。
なお画像化する場合、対象機器の各バンドのゲインの値を対象とする手法を採ることもできる。ところが、３１Ｂａｎｄイコライザ搭載ヘッドホン用の設定ファイル２を読み込んで、３Ｂａｎｄイコライザ搭載ヘッドホンに設定を反映させようとした場合、ヘッドホン側で例外処理を行わなくてはならなくなってしまう。すなわち、ヘッドホンのリソースに応じて画像が大きく変わってしまうことになる。そこで、本技術では横軸、縦軸の配列のうち、横軸方向は固定間隔（つまり上記の例えば１２８ポイント）とし、縦軸の値（ゲイン値（ｄＢ）を対象として画像化を行う。
【００４０】
図７により、実施の形態の画像化の手法および画像化例について具体的に説明する。画像化は２つの段階で実現される。まず対象とする縦軸のゲインをそのゲインの値に対応させて色画像データに変換する。これが画像変換部３２が生成する変換画像データである。
次に変換画像データ（色画像データ）を含む画像データを所定形式（ＰＮＧ形式）でファイル化する。これが設定ファイル画像生成部３３が生成する設定ファイル画像データ６である。
【００４１】
まず画像変換部３２が生成する変換画像データについて説明する。
画像変換部３２は、パラメータ情報に含まれる数値自体を、色情報又は透明度情報に変換して変換画像データを生成する。
具体的にはゲイン値を直接、色情報に変換する。色は、Ｒ（赤）、Ｇ（緑）、Ｂ（青）、α（透明度）を組み合わせて表現できる。ここでは、Ｒ（赤）、Ｇ（緑）、Ｂ（青）、α（透明度）を組み合わせて所定の色に変換し画像化することとする。もちろん、Ｒ（赤）、Ｇ（緑）、Ｂ（青）の３原色を組み合わせてもよい。
【００４２】
図７Ａは、図６の設定内容を画像化するために必要となる具体的な数値を表すものである。即ち図７Ａは、図６の横軸の各ポイントにおけるゲイン値（ｄＢ）を、画像化用の数値として表の形で表している。数値は３２ビット浮動小数点表示である。図では１９ポイント分のみ示している。
この図７Ａのゲイン値（ｄＢ）を表す３２ビットの値を、８ビットずつに分解し、それぞれＲ、Ｇ、Ｂ、αに割り振る。
例えば、１ポイント目の値は「Ｃ０８０ＡＡＡＡｈ」（「ｈ」は１６進表記を示す）となっている。この場合に、Ｃ０ｈはα値に、８０ｈはＲ値に、ＡＡｈはＧ値に、ＡＡｈはＢ値に、それぞれ割り振る。Ｒ、Ｇ、Ｂ、αの各値は８ビットで表されているので、十進数で最大２５５となる。
この値は画面上の１ピクセルに相当する。すなわちゲイン（ｄＢ）に相関させた１ピクセルの色が決定される。
【００４３】
このように１２８ポイントのゲイン値を色情報に変換していく。これにより１２８ピクセルの画像データが形成される。図６Ｂは１ピクセル×１２８ピクセルの変換画像データ６ａの例を示している。なお説明のため、図面上は縦に引き延ばして示しているが、実際には変換画像データ６ａは１行分の色情報である。
この図７Ｂのような変換画像データ６ａをＰＮＧ形式で保存するだけで設定ファイル画像データ６を実現することもできるが、この１ピクセル×１２８ピクセルの画像ではユーザは視認できない。また設定ファイル画像データ６を利用するアプリケーションプログラム、この画像ファイルがパラメータ設定のためのファイルであるかどうかを判断することができない。
【００４４】
そこで第２段階として、設定ファイル画像生成部３３が、以上の変換画像データ６ａが、その変換画像データ６ａより大きい画像サイズの画像データ内に配置される設定ファイル画像データ６を生成することで、ユーザが画像として視認できるデータとする。
設定ファイル画像生成部３３は、設定ファイル画像データ６に変換画像データを含む画像であることを識別する識別情報を画像化した識別画像データを含むようにする。
【００４５】
まず、設定ファイル画像データ６をアプリケーション上で認識させるための識別画像データについて説明する。
具体的には、識別タグが設定ファイル画像データ６に埋め込まれるようにする。埋め込むとは、この場合はテキスト領域等ではなく、画像上に配置する。
識別タグにはＵＵＩＤ（Universally Unique Identifier）などを使用する。この識別タグの値を、上述の色画像化と同様に、ＲＧＢαに変換して画像化する。この場合、透明度を最大にして視認上は隠すようにしてもよい。図７Ｃは、識別タグを画像化した識別画像データ６ｂを例示している。（図では説明のため拡大、縦引き延ばしを行っている）
またこのように画像化する識別タグの情報としては、当該画像が本実施の形態でいう設定ファイル画像データ６であることを示す情報だけでなく、対象とする装置（ヘッドホン３等）を示す情報も加える。例えば対象装置のＵＵＩＤなど、装置を特定できる情報を、識別タグ内にデータとして配置する。
【００４６】
設定ファイル画像データ６をユーザが画像として認識可能とするために、設定ファイル画像生成部３３は、変換画像データ６ａと、識別画像データ６ｂを含む設定ファイル画像データ６を生成する。図７Ｄに例を示している。
この設定ファイル画像データ６は、変換画像データ６ａより大きい画像サイズの画像データとする。例えば図のように略正方形状の画像とする。この例の場合、正方形状の画像は、１２８ピクセルの変換画像データ６ａを縦に、グラデーションをかけながら引き延ばすように生成したものとしている。例えば変換画像データ６ａを１行目に配置し、２行目〜１２８行目までには、１×１２８ピクセルの変換画像データ６ａの各値について、α値を徐々に変換させたデータを配置する。これによって１２８×１２８ピクセルの画像とする。
さらに所定位置（図では破線で示す）に識別画像データ６ｂを配置する。
【００４７】
このようにすることで、結果として設定ファイル画像データ６は、変換画像データ６ａより大きい画像サイズの画像データ内に、ＥＱパラメータの情報を有する変換画像データ６ａと、識別タグの情報を有する識別画像データ６ｂが、それぞれ所定位置に配置された画像データとなる。
このような画像データ６を例えばＰＮＧ形式で保存したものが設定ファイル画像データ６となる。
この設定ファイル画像データ６による画像は、ユーザが視認できる略正方形状の画像となる。正方形状の画像は、上記例では変換画像データ６ａを用いて生成したが、各種の例が考えられる。図７Ｄの例は縦方向に透明度グラデーションを施していることで画像の演出効果を得ているが、もちろんグラデーションを施さなくて、単純に１２８ピクセルのデータを各行にコピーしてもよい。
また、識別画像データ６ｂを最下に配置して上下端二色間のグラデーションにするなども考えられる。
また変換画像データ６ａを用いないで、正方形状などの所定の画像データを用い、その一部に変換画像データ６ａや識別画像データ６ｂを配置するものでもよい。
また識別画像データ６ｂは、値をＲ、Ｇ、Ｂのみに変換し、透明度αを最大にしてユーザの目から隠すといったことも可能である。
もちろん設定ファイル画像データ６の画像形状、サイズも限定されるものではない。
また変換画像データ６ａや識別画像データ６ｂの配置位置は多様に考えられる。いずれにしてもアプリケーションが設定ファイル画像データ６内で変換画像データ６ａや識別画像データ６ｂを見つけて情報を取得することができるようにすればよい。
【００４８】
図７Ｄのような設定ファイル画像データ６としても、ユーザにとっては、これがパラメータ設定を画像化して保存したファイルと認識することは可能であるが、ユーザの認識性を向上させることもできる。
例えば、設定ファイル画像データ６の機能、つまりパラメータ情報の共有化を可能とする機能（サービス）のために変換画像データ６ａを含む画像であることを示すロゴを画像として付してもよい。
図７Ｅは、ロゴとして「ＭＹ ＯＷＮ」というマークを配置した設定ファイル画像データ６ｄを示している。もちろんロゴは一例である。このようにロゴ画像を配置することで、ユーザは掲示板５等で当該画像を見たときに、これがパラメータ情報の共有を可能とする設定ファイル画像データ６であると認識しやすい。
【００４９】
図７Ｆは、対象とする装置の画像を付加した設定ファイル画像データ６を示すものである。この表示により、ユーザが一目で対象装置を認識することが可能となる。
ユーザは、この対象装置を認識することで、自分で当該設定ファイル画像データ６を利用できるか否か、或いは利用したいか否かを判断できる。
【００５０】
図７Ｇは、作成者のアバターや写真等、パラメータ情報作成者を提示する画像を付加した設定ファイル画像データ６を示すものである。
このようにすることで、ユーザは設定ファイル画像データ６の作成者を容易に認識できることになる。また、作成者は楽しんで設定ファイル画像データ６を作成可能となり、ユーザはその作成者を認識して、使用するか否かを判断できる。
【００５１】
＜４．設定ファイル画像データ生成例II＞
図７で示した設定ファイル画像データ生成例Ｉとしての例においては、画像変換部３２は、パラメータ情報に含まれる数値自体を、色情報又は透明度情報に変換して変換画像データ６ａを生成したが、設定ファイル画像データ生成例IIとして、画像変換部３２が、パラメータ情報に含まれる数値を、変換パターンに従って色情報又は透明度情報に変換して変換画像データを生成する例を図８、図９により説明する。
【００５２】
上述の図７で説明した変換画像データ６ａはイコライザの設定ゲインの数値をＲ、Ｇ、Ｂ、αのそれぞれの色情報に振り分け、振り分けられた数値に対応する色に変換した画像データとしている。この場合、数値が大きければ単にその色の輝度が高くなり変換される。例えば、Ｒの値が大きければ赤の輝度が高くなる。
これに対し、Ｒ、Ｇ、Ｂ、αの値をある一定の関係で変化させて色変換するようにする。なお、以下では、Ｒ、Ｇ、Ｂ、αの値をある一定の関係で変化させる設定を変換パターンと呼ぶ。
【００５３】
図８Ａの変換パターンは、ゲイン値が小さいほどＢの輝度を高くし（反比例関係）、Ｒの輝度を抑制する（比例関係）。またゲイン値が大きいほどＲの輝度を高くし（比例関係）、Ｂの輝度を抑制する（反比例）。そしてＧはゲインに対して固定としたものである。
ただし、Ｇの大きさはユーザが選択（可変）可能である。
図８Ａに示される設定ファイル画像データ６は、Ｂ、Ｒ、Ｇの変換パターンを上記のようにして図面下の表の設定内容を画像化したときの表示例である。
【００５４】
図は白黒表示なので、設定内容と表示との関係がわかりにくいが概ね次のようになる。図において、薄く表示されている部分は赤の輝度が高く表示されている部分であり、濃く表示されている部分は青の輝度が高く表示されている部分である。
そうするとバンド１（低域側）はゲインが２．４ｄＢであり、値が大きいので赤が強調され、薄く表示されている。
バンド２、３はゲインが低く（−２．４ｄＢ、−４．８ｄＢ）青が強調され、濃く表示されている。
バンド４はゲインが大きく（２．４ｄＢ）赤が強調され、薄く表示されている。
バンド５はゲインが低く（−９．６ｄＢ）青が強調され、濃く表示されている。
バンド６、７はゲインが大きく（７．２ｄＢ、１２ｄＢ）赤が強調され、薄く表示されている。
バンド８はゲインが低く（−４．８ｄＢ）青が強調され、濃く表示されている。
バンド９、１０（高域側）はゲインが大きく（４．８ｄＢ、７．２ｄＢ）赤が強調され、薄く表示されている。
これにより、周波数特性の特徴を、色の違いを使って柔軟に表現することができる。実際には、カラー表示であるため、より精細に違いを表現できる。
ユーザが上記変換パターンに基づく色合いの傾向を認識していれば、このような設定ファイル画像データ６を見ることで、利用できるＥＱパラメータ設定の傾向を大まかにとらえることができる。例えば高域重視、低域重視、おおむねフラット、などの周波数特性が認識できる。
【００５５】
図８Ｂの変換パターンは、ゲインがゼロより小さい場合はＲの表示をゼロとし、ゲインが小さいほどＢの輝度を高くする（反比例関係）。ゲインがゼロより大きい場合はＢをゼロとし、ゲインが大きいほどＲの輝度を高くする（比例関係）。そしてＧについては、ゲインがゼロより小さいほど輝度を抑制し（反比例関係）、ゲインがゼロより大きいほど輝度を抑制する（反比例関係）。さらにＲもしくはＢとＧを加算すると一定の値（例えば２５５）になるようにしている。ゲインがゼロのときのＧの大きさはユーザが選択（可変）可能である。
【００５６】
この図８Ｂにおいて、薄く表示されている部分は赤が強調されて表示されている部分であり、濃く表示されている部分は青が強調されて表示されている部分である。これは図８Ａと同様である。ＲとＢの中間の濃さで表示されている部分が緑が強調されて表示されている部分である。
上記のＲ、Ｂ、Ｇの変換パターンにより、設定内容と表示との関係は概ね次のようになる。ゲインがゼロに近いとＧが強調される。ゲインがゼロより小さいとＲはゼロなのでＢとＧの混合した色となり、ゲインが小さくなるにつれＢが強調される。ゲインがゼロより大きいとＢはゼロなのでＲとＧが混合した色となり、ゲインが大きくなるにつれＲが強調される。
【００５７】
バンド１（低域側）、２、３、４のゲインはゼロに近いのでＧが強調された表示となり、ＲとＢの中間の濃さで表示される。
バンド５のゲイン（−９．６ｄＢ）は小さく、Ｂが強調され濃く表示される。
バンド６、７のゲイン（７．２ｄＢ、１２ｄＢ）は大きく、Ｒが強調され薄く表示される。
バンド８のゲイン（−４．８ｄＢ）はバンド１、２、３、４のゲインより低めなので青が強調され少し濃く表示される。
バンド９、１０のゲイン（４．８ｄＢ、７．２ｄＢ）はバンド６、７のゲインより小さめなのでＲが強調されるがバンド６、７より薄くなく少し濃いめに表示される。
【００５８】
図８Ａと同様に、周波数特性の特徴を色の違いを使って柔軟に表現することができる。実際には、カラー表示なので、もっと細かな違いを表現できる。これにより設定ファイル画像データ６の画像をみたユーザは、ＥＱパラメータの設定内容の傾向を知ることができる。
【００５９】
図９は変換パターン及び変換画像データ６ａの配置についての他の例を示している。図８では変換画像データ６ａとしてのイコライザの低域から高域までの表示を水平軸上に配置していたが、図９では放射円形状に配置する例としている。
この図９Ａの例では表示の中心部分が低域であり、対角線上に高域に向かって設定内容が放射円形状に色表示される。色表示はＲ、Ｇ、Ｂ、αを組み合わせて表示している。図８と同様にイコライザの設定は１０バンドとしての例を示す。設定値は画面右の表に示す通りで図８の場合と同じである。イコライザに設定できるゲイン（ｄＢ）も同様に−１２ｄＢ〜＋１２ｄＢとしている。
【００６０】
図９Ａの変換パターンは、Ｒを可変範囲の最大値で固定とし、ＢとＧをゼロとした状態で、設定ゲインが小さいほどαを大きくする（反比例関係）ものである。この状態で画像化したときの表示は、Ｒを基調としてイコライザの設定ゲインに合わせてα（透明度）が変化する表示となる。
図９Ａは白黒表示なので、濃く表示されている部分がＲ（赤）に相当し、薄く表示されている部分がα（透明度）の大きくなっている部分である。したがって、イコライザの設定値が小さい場合、薄く表示され、設定値が大きい場合、濃く表示される。
この場合の設定内容と表示との関係は概ね次のようになる。画面の中心が低域側なので、バンド１が中心部に対応する。そしてその対角線上にバンド２〜バンド１０が対応し、対角線の頂点がバンド１０に対応する。
【００６１】
図９Ｂの変換パターンは、Ｒ、αについては図９Ａと同様としているが、Ｇについては横軸をバンド１〜バンドｎとしてのパターンを加える。つまり低域側から高域側に向かって、Ｇを大きくする。
この状態で画像化したときの表示は、図９Ａの表示例に対して、高域にいくほどＧの傾向が大きくなる表示となる。
図９Ｃは、変換パターンは図９Ｂと同様であるが、変換画像データ６ａの配置を四角形の形で放射状とした例である。
【００６２】
上記のように色情報Ｒ、Ｂ、Ｇ、αを変数として、それらを各種設定することにより設定ファイルの見ための印象を変えることができる。これにより、設定ファイル画像データ６を作成するものの特徴を表現することができる。
例えば変換パターンや、変換画像データ６ａの配置により、作成者、或いは対象装置、或いはＥＱパラメータの種別（ジャズ用パラメータ、ポップス用パラメータ等）を表現することも可能となる。
また設定ファイル画像データ６を作成するユーザが、上記の変換パターンを選択したり、変換パターン自体をダウンロードしたりすることもできる。
【００６３】
＜５．対象機器との初期通信＞
以下、実施の形態の情報処理装置１の処理例を説明する。
まずここではヘッドホン３等の対象機器との初期通信を図１０で説明する。
この図１０は、情報処理装置１内の制御部３５で起動されたアプリケーションプログラムの制御に基づいて、情報処理装置１が対象製品（ヘッドホン等）から所定の情報を受信する処理を示している。
【００６４】
ステップＳ１として、制御部３５は通信部３７を経由してヘッドホン３に対し機種情報を問い合わせる。
ステップＳ２では、制御部３５の制御の下、ヘッドホン３から送られてきた機種情報（例えばＵＵＩＤ）を通信部３７経由で受信する。
ステップＳ３では、制御部３５は受信した機種情報を解析する。
ステップＳ４では、制御部３５はイコライザ構成（バンド数等の設定）に対応した描画設定をする。
【００６５】
例えばこのような通信が行われることで、情報処理装置１は、設定ファイル画像データ６を作成しようとする場合、ヘッドホンの現在のＥＱパラメータを読み込んで、それを表示部３６に表示させ、ユーザの編集に供することが可能となる。
また、設定ファイル画像データ６をダウンロードして利用しようとする情報処理装置１の場合は、通信相手の対象機種が、設定ファイル画像データ６のパラメータ情報を利用できる機種であるか否かを確認できる。
【００６６】
＜６．設定ファイル画像データ生成処理＞
次に図１１Ａ、図１１Ｂで、設定ファイル画像データ６の生成処理例を説明する。図１１Ａは、上記の設定ファイル画像データ生成例Ｉに対応し、図１１Ｂは設定ファイル画像データ生成例IIに対応する。
【００６７】
先ず図１１Ａの処理について説明する。
ステップＳ１１では、制御部３５の制御の下、ファイル名が入力される。この場合、自動でファイル名を入力することができるし、操作部３４の操作により手動で入力することもできる。自動入力又は手動入力の何れかによりファイル名が入力されることにより、制御部３５の処理はステップＳ１２に進む。
ステップＳ１２では、制御部３５の制御の下、イコライザの特性の描画表示が表示部３６で実行される。例えば図１０のような通信でヘッドホン等から読み込んだＥＱパラメータを編集のために表示させたり、新規のＥＱパラメータを作成するための画像を表示させる。これに対してユーザは操作入力を行い、自分の望むＥＱパラメータを作成・編集する。
新規作成又は編集された、設定ファイル画像データ６を生成する元となるパラメータ情報が確定されると、ステップＳ１３で信号処理部５０のパラメータ入力部３１に取り込まれる。
【００６８】
ステップＳ１４では、制御部３５の制御の下、信号処理部５０で変換画像データ６ａの生成が行われる。即ち、作成されたパラメータ情報について信号処理部５０の画像変換部３２が、例えば上述のように周波数毎の３２ビットデータ毎のゲイン値を８ビットづつα、Ｒ、Ｇ、Ｂ値に振り分け、変換画像データ６ａを生成する。
ステップＳ１５〜Ｓ１８として信号処理部５０は設定ファイル画像生成部３３の機能により設定ファイル画像データ６を生成する。
このためステップＳ１５では、信号処理部５０は変換画像データ６ａを設定ファイル画像データ６としての画像内に配置する。例えば図７の例のように、正方形状の設定ファイル画像データ６の一部に変換画像データ６ａが含まれるようにする。
ステップＳ１６では、信号処理部５０は識別画像データ６ｂを画像データ内に配置する。
ステップＳ１７では、視認用のシンボルとして、ロゴマーク、対象機器画像、アバターなどを画像内に配置する。
そしてステップＳ１８で信号処理部５０は、以上の処理で生成した画像データをＰＮＧ形式で圧縮する。
【００６９】
ステップＳ１９で制御部３５は、以上のように信号処理部５０が生成した設定ファイル画像データ６を記憶部３８に保存させる。
以上の手順により設定ファイル画像データ６は生成される。
【００７０】
次に図１１Ｂについて説明する。
なお図１１ＢはステップＳ２１が追加される点が図１１Ａと異なるのみである。ステップＳ２１では、使用する変換パターンを決定する。
変換パターンは、ユーザ選択によって決定されてもよいし、音楽ジャンル、対象機器などに応じて選択されてもよい。或いは常に固定の変換パターンが使用されてもよい。
ステップＳ２２〜Ｓ３０は、図１１ＡのステップＳ１１〜Ｓ１９と同様である。但しステップＳ２５の変換画像データ６ａの生成処理では、ステップＳ２１で決定された変換パターンが用いられ、図８，図９で説明したようにな画像化が行われる。
【００７１】
＜７．設定ファイル画像データの利用時の処理＞ 
続いて実施の形態の情報処理装置１において設定ファイル画像データ６を使用する際の処理を図１１のフローチャートにより説明する。
ここでいう使用とは、ＳＮＳ上の掲示板５から情報処理装置１にダウンロードした設定ファイル画像データ６を使って、その設定ファイル画像データ６が有するＥＱパラメータを外部のヘッドホン３に設定するまでの動作のことである。
このための処理は、情報処理装置１内のアプリケーションプログラムが制御部３５に実行させることにより実現される。
【００７２】
図１１は情報処理装置１がダウンロードした設定ファイル画像データ６を解析し、対象製品（ヘッドホン３等）にその設定ファイル画像データ６のイコライザ設定の内容を設定する手順を表しているフローチャートである。
なお図１１の前提として、情報処理装置１は通信部３７を介したネットワーク通信により、例えばＳＮＳ上に提示された設定ファイル画像データ６をダウンロードし、設定ファイル画像データ６としての画像ファイルを記憶部３８に格納しているものとする。
【００７３】
ステップＳ１０１では、制御部３５はダウンロードされて記憶部３８に格納されている画像ファイル（設定ファイル画像データ６）を開いて読み出す。
ステップＳ１０２では、制御部３５はその画像ファイルが設定ファイル画像データ６としての画像ファイルであるかどうか判別する。これは、当該ファイルの識別画像データ６ｂが含まれており、かつそのデータ内容が適正な情報であるか否かを確認する処理となる。
【００７４】
もし処理対象の画像ファイルが設定ファイル画像データ６でなければ、ステップＳ１１０に進み、警告メッセージを表示部３６に表示させ、処理を終了する。
処理対象の画像ファイルが設定ファイル画像データ６と確認できたら、ステップＳ１０３に進み、制御部３５は識別画像データ６ｂの情報から対象機種（ヘッドホン３等）を確認する。
【００７５】
ステップＳ１０４では、制御部３５は、通信接続している（或いは通信接続可能な）ヘッドホン３の機種と、ステップＳ１０３で確認した対象機種とが一致するかどうか判断する。接続されているヘッドホン３の機種は、図１０の初期通信においてステップＳ１、Ｓ２の処理により取得している。したがって、ここでの処理は、ステップＳ１０３で確認した対象機種と図１０のステップＳ１、Ｓ２の処理で取得した機種の情報が一致するかどうかを確認する。
接続されたヘッドホン３の機種と設定ファイル画像データ６の対応機種が一致しない場合、処理はＳ１０８に進み、ここで警告メッセージを表示部３６に表示させ、ステップＳ１０９に進む。
ステップＳ１０９では、ユーザに通信可能な機器が、今回の設定ファイル画像データ６が対応する機種ではないことを提示し、ユーザに選択を要求する。直接的に対応していなくても、ＥＱパラメータ等は使用できる場合もあるためである。
ユーザが処理の続行を選択した場合、ステップＳ１０５に進む。処理の続行を選択しなかった場合、処理を終了する。
【００７６】
ステップＳ１０５では、制御部３５は設定ファイル画像データ６から変換画像データ６ａを読み出し、変換画像データ６ａについてのデコード処理を信号処理部５０に実行させる。即ち図５Ｂの設定ファイル画像取得部４１の機能により、記憶部３８から変換画像データ６ａを信号処理部５０に取り込ませる。そして変換画像抽出部４２の機能により、設定ファイル画像データ６から変換画像データ６ａを抽出させる。さらにパラメータデコード部４３の機能により、変換画像データ６ａからＥＱパラメータを生成する。即ち図５Ａの画像変換部３２での画像化のエンコードに対応したデコード処理を実行させる。具体的には、１×１２８ピクセルのそれぞれのα、Ｒ、Ｇ、Ｂの値をゲイン値に戻し、これを周波数軸上の１２８ポイントのゲイン値とする。
これにより元の１２８ポイントのゲイン値によるイコライジング特性のＥＱパラメータ情報が得られる。
【００７７】
ステップＳ１０６では、さらに制御部３５は信号処理部５０に、通信を行う対象機器（ヘッドホン）のリソースに対応した周波数特性を再現する。例えばエンコードされたＥＱパラメータは、１２８バンドの周波数特性情報となるが、ヘッドホン３のイコライザが６バンド構成であるとしたら、エンコードしたＥＱパラメータを、６バンドのＥＱパラメータに変換する。
制御部３５は以上の処理を信号処理部５０に実行させてヘッドホン３用のＥＱパラメータを再現し、これを記憶部３８に記憶させる。
そしてステップＳ１０７で、記憶させたＥＱパラメータを通信部３７によりヘッドホン３に送信させる。
これに応じてヘッドホン３側では、ステップＳ１１１として示すように、イコライザの設定を新たなＥＱパラメータに変更する。
以上の手順により、情報処理装置１にダウンロードされた設定ファイル画像データ６を使って、ヘッドホン３等の対象機器のパラメータ設定を変更することができる。
このような処理により、先に述べたように、ユーザは、公衆に提供された設定ファイル画像データ６を用いて、自分のヘッドホン３の設定を変更するというようなことが可能となる。
【００７８】
＜８．プログラム及び変形例＞
実施の形態のプログラムは、上述の実施の形態で示した情報処理装置１の処理を、例えばＣＰＵ、ＤＳＰ等の演算処理装置に実行させるプログラムである。
即ち設定ファイル画像データ６を生成する処理を実行させるプログラムは、対象とする装置の動作状態を設定するパラメータ情報を入力する処理と、パラメータ情報を画像化した変換画像データ６ａを生成する処理と、変換画像データ６ａが、その変換画像データ６ａより大きい画像サイズの画像データ内に配置される設定ファイル画像データ６を生成する処理とを情報処理装置に実行させる。
具体的には、このプログラムは、図１１Ａ、又は図１１Ｂに示した処理を演算処理装置に実行させるプログラムとすればよい。
また設定ファイル画像データ６を利用する処理を実行させるプログラムは、設定ファイル画像データ６を受信する処理と、設定ファイル画像データ６から変換画像データ６ａを抽出する処理と、変換画像データ６ａからパラメータ情報を生成する処理とを情報処理装置に実行させる。
具体的には、このプログラムは、図１２に示した処理を演算処理装置に実行させるプログラムとすればよい。
【００７９】
これらのプログラムにより、上述した情報処理装置１を、演算処理装置を用いて実現できる。
このようなプログラムはコンピュータ装置等の機器に内蔵されている記録媒体としてのＨＤＤや、ＣＰＵを有するマイクロコンピュータ内のＲＯＭ等に予め記録しておくことができる。
あるいはまた、フレキシブルディスク、ＣＤ−ＲＯＭ(Compact Disc Read Only Memory)、ＭＯ(Magnet optical)ディスク、ＤＶＤ(Digital Versatile Disc)、ブルーレイディスク（Blu-ray Disc（登録商標））、磁気ディスク、半導体メモリ、メモリカードなどのリムーバブル記録媒体に、一時的あるいは永続的に格納（記録）しておくことができる。このようなリムーバブル記録媒体は、いわゆるパッケージソフトウエアとして提供することができる。
またプログラムは、リムーバブル記録媒体からパーソナルコンピュータ等にインストールする他、ダウンロードサイトから、ＬＡＮ(Local Area Network)、インターネットなどのネットワークを介してダウンロードすることもできる。
【００８０】
またこれらのプログラムによれば、実施の形態の情報処理装置１の広範な提供に適している。例えばパーソナルコンピュータ、携帯型情報処理装置、携帯電話機、ゲーム機器、ビデオ機器、ＰＤＡ（Personal Digital Assistant）等にプログラムをダウンロードすることで、当該携帯型情報処理装置等を、本実施の形態の情報処理装置１とすることができる。
【００８１】
以上、実施の形態を説明してきたが、変形例は多様に考えられる。
パラメータはヘッドホン３のイコライザの設定内容（ＥＱパラメータ）を例として説明したが、これ以外にも多様に考えられる。
例えばヘッドホン、システムコンポ、ＡＶレシーバー、車載オーディオ、その他音響機器などであれば、リバーブ設定パラメータ、エコー設定パラメータ、フランジャー効果用パラメータ、フェイズシフト効果用パラメータ、パンポット設定パラメータ、多チャンネルゲイン設定パラメータ、バーチャル音響空間設定用パラメータ、低音強調や広域補完の設定パラメータ、ノイズキャンセルフィルタ用パラメータ、ＤＪエフェクトパラメータなどの例が考えられる。
ノイズキャンセリングヘッドホンなどの場合、特定の状況で適切なフィルタパラメータ、例えばある鉄道路線のある車輌用ノイズキャンセリング最適フィルタや、車載オーディオでの車の車種に応じたノイズキャンセリング最適フィルタなどのパラメータ共有に本技術は好適である。
もちろんビデオ信号用の設定（画質モードなど）のパラメータでもよい。
従って本技術は、各種の音響、映像、エンターテインメント機器等の特定機能の設定に適用可能である。
【００８２】
なお本技術は以下のような構成も採ることができる。
（１）対象とする装置の動作状態を設定するパラメータ情報を入力するパラメータ入力部と、
前記パラメータ情報を画像化した変換画像データを生成する画像変換部と、
前記変換画像データが、該変換画像データより大きい画像サイズの画像データ内に配置される設定ファイル画像データを生成する設定ファイル画像生成部と、
を備えた情報処理装置。
（２）前記設定ファイル画像データは、さらに、前記変換画像データを含む画像であることを識別する識別情報を画像化した識別画像データを含む
上記（１）に記載の情報処理装置。
（３）前記画像変換部は、前記パラメータ情報を、色情報又は透明度情報に変換して前記変換画像データを生成する
上記（１）又は（２）に記載の情報処理装置。
（４）前記画像変換部は、前記パラメータ情報に含まれる数値自体を、色情報又は透明度情報に変換して前記変換画像データを生成する
上記（３）に記載の情報処理装置。
（５）前記画像変換部は、前記パラメータ情報に含まれる数値を、変換パターンに従って色情報又は透明度情報に変換して前記変換画像データを生成する
上記（３）に記載の情報処理装置。
（６）前記画像変換部は、選択又は入力された前記変換パターンを用いる
上記（５）に記載の情報処理装置。
（７）前記設定ファイル画像データは、前記変換画像データに対応した画像データを含む
上記（１）乃至（６）のいずれかに記載の情報処理装置。
（８）前記設定ファイル画像データは、前記変換画像データを含む画像であることを提示する画像を含む
上記（１）乃至（７）のいずれかに記載の情報処理装置。
（９）前記設定ファイル画像データは、前記パラメータ情報作成者を提示する画像を含む
上記（１）乃至（８）のいずれかに記載の情報処理装置。
（１０）前記設定ファイル画像データは、前記対象とする装置を提示する画像を含む
上記（１）乃至（９）のいずれかに記載の情報処理装置。
（１１）前記パラメータ情報は、イコライザ特性のパラメータである
上記（１）乃至（１０）のいずれかに記載の情報処理装置。
（１２）対象とする装置の動作状態を設定するパラメータ情報を入力し、
前記パラメータ情報を画像化した変換画像データを生成し、
前記変換画像データが、該変換画像データより大きい画像サイズの画像データ内に配置される設定ファイル画像データを生成する
情報処理方法。
（１３）対象とする装置の動作状態を設定するパラメータ情報を入力する処理と、
前記パラメータ情報を画像化した変換画像データを生成する処理と、
前記変換画像データが、該変換画像データより大きい画像サイズの画像データ内に配置される設定ファイル画像データを生成する処理と、
を情報処理装置に実行させるプログラム。
（１４）対象とする装置の動作状態を設定するパラメータ情報を画像化した変換画像データが、該変換画像データより大きい画像サイズの画像データ内に配置されている設定ファイル画像データを受信する設定ファイル画像取得部と、
前記設定ファイル画像データから前記変換画像データを抽出する変換画像抽出部と、
前記変換画像データからパラメータ情報を生成するパラメータデコード部と、
を備えた情報処理装置。
（１５）対象とする装置の動作状態を設定するパラメータ情報を画像化した変換画像データが、該変換画像データより大きい画像サイズの画像データ内に配置されている設定ファイル画像データを受信し、
前記設定ファイル画像データから前記変換画像データを抽出し、
前記変換画像データからパラメータ情報を生成する、
情報処理方法。
（１６）対象とする装置の動作状態を設定するパラメータ情報を画像化した変換画像データが、該変換画像データより大きい画像サイズの画像データ内に配置されている設定ファイル画像データを受信する処理と、
前記設定ファイル画像データから前記変換画像データを抽出する処理と、
前記変換画像データからパラメータ情報を生成する処理と、
を情報処理装置に実行させるプログラム。
【符号の説明】
【００８３】
１…情報処理装置、３…ヘッドホン、３１…パラメータ入力部、３２…画像変換部、３３…設定ファイル画像生成部、３４…操作部、３５…制御部、３６…表示部、３７…通信部、３８…記憶部、４１…設定ファイル画像取得部、４２…変換画像抽出部、４３…パラメータデコード部
【図１】
2014192553.tif 000003
【図２】
2014192553.tif 000004
【図３】
2014192553.tif 000005
【図４】
2014192553.tif 000006
【図５】
2014192553.tif 000007
【図６】
2014192553.tif 000008
【図７】
2014192553.tif 000009
【図８】
2014192553.tif 000010
【図９】
2014192553.tif 000011
【図１０】
2014192553.tif 000012
【図１１】
2014192553.tif 000013
【図１２】
2014192553.tif 000014